【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
放送番組の電子番組表デ−タに基づき電子番組表をディスプレイに表示させる放送受信機であって、電子番組表データから番組の内容に応じたアイコンの画像を含む電子番組表のグループを作成する手段を設けたことを特徴とする、放送受信機。
【請求項２】
前記放送受信機を車載機として構成し、車両の状況に応じてディスプレイに表示する電子番組表のグル−プを設定可能としたことを特徴とする、請求項１に記載の放送受信機。
【請求項３】
現在時刻に応じて、ディスプレイに表示する電子番組表のグル−プを設定可能としたことを特徴とする、請求項１に記載の放送受信機。
【請求項４】
視聴する番組の開始時刻に応じて、ディスプレイに表示する電子番組表のグル−プを設定可能としたことを特徴とする、請求項１に記載の放送受信機。
【請求項５】
電子番組表に、受信状況の悪い番組と他の番組とを区別して表示するように表示方法を指定可能としたことを特徴とする、請求項１に記載の放送受信機。
【請求項６】
放送番組の電子番組表デ−タに基づき電子番組表をディスプレイに表示させる放送受信機であって、電子番組表データから番組の内容に応じたアイコンの画像を含む電子番組表のグループを作成する手段と、番組の視聴予約を登録する手段とを設け、視聴予約を行なった番組にマ−クを付して電子番組表をディスプレイに表示することを特徴とする、放送受信機。
【請求項７】
前記放送受信機を車載機として構成し、車両の移動に伴い視聴予約を行なった番組について受信状態が改善されたかどうかを検出し、前記視聴予約を行なった番組の受信状態が改善された旨のメッセ−ジをディスプレイに表示させることを特徴とする、請求項５または６に記載の放送受信機。
【請求項８】
放送番組の電子番組表デ−タに基づき電子番組表をディスプレイに表示させる放送受信機であって、電子番組表データから番組の内容に応じたアイコンの画像を含む電子番組表のグループを作成する手段と、番組の視聴予約を登録する手段と、視聴予約番組の放送開始時刻からの経過時間を設定する手段と、当該経過時間後に視聴予約を自動的に取り消す手段とを有することを特徴とする、放送受信機。
【請求項９】
前記視聴予約を登録する手段と共に、視聴予約番組の予約有効時刻を指定する手段と、当該予約有効時刻の経過後に視聴予約を自動的に取り消す手段とを有することを特徴とする、請求項８に記載の放送受信機。
【請求項１０】
前記視聴予約を登録する手段と共に、視聴予約時刻の経過時間を番組の放送時間の全体の割合で設定する手段を設けることを特徴とする、請求項８に記載の放送受信機。
【請求項１１】
前記視聴予約設定の有効期限の報知を、一定時間経過毎に行なうことを特徴とする、請求項８に記載の放送受信機。
【請求項１２】
コマ−シャルを受信したときに、放送の受信感度をモニタすることを特徴とする、請求項５または７に記載の放送受信機。
【手続補正２】
【補正対象書類名】明細書
【補正対象項目名】０００１
【補正方法】変更
【補正の内容】
【０００１】
【発明の属する技術分野】
本発明は、放送番組の電子番組表デ−タに基づきオリジナルの電子番組表をディスプレイに表示させると共に、状況に応じた情報を当該オリジナルの電子番組表に反映させる放送受信機に関する。
【手続補正３】
【補正対象書類名】明細書
【補正対象項目名】０００８
【補正方法】変更
【補正の内容】
【０００８】
【課題を解決するための手段】
上記目的は、請求項１に係る発明において放送受信機を、放送番組の電子番組表デ−タに基づき電子番組表をディスプレイに表示させる放送受信機であって、電子番組表デ−タから番組の内容に応じたアイコンの画像を含む電子番組表のグループを作成する手段を設けた構成とすることによって達成される。
【手続補正４】
【補正対象書類名】明細書
【補正対象項目名】０００９
【補正方法】変更
【補正の内容】
【０００９】
請求項１に係る発明によれば、番組の内容に応じたアイコンの画像を含む電子番組表のグループを表示しているので、視聴者の特性や、状況に則した電子番組表を表示することができる。
【手続補正５】
【補正対象書類名】明細書
【補正対象項目名】００１０
【補正方法】変更
【補正の内容】
【００１０】
また、好ましい形態として、請求項１に記載の放送受信機において、電子番組表のグループを登録しておき、前記登録された電子番組表のグループを、切り替てディスプレイに表示させることを特徴とする。
【手続補正６】
【補正対象書類名】明細書
【補正対象項目名】００１１
【補正方法】変更
【補正の内容】
【００１１】
この形態によれば、予め登録されている電子番組表を切り替えてディスプレイに表示できるので、放送を視聴している状況に応じて電子番組表の閲覧を簡単に行なうことができる。
【手続補正７】
【補正対象書類名】明細書
【補正対象項目名】００１２
【補正方法】変更
【補正の内容】
【００１２】
請求項２に係る発明は、請求項１に記載の放送受信機において、前記放送受信機を車載機として構成し、車両の状況に応じてディスプレイに表示する電子番組表のグル−プを設定可能としたことを特徴とする。
【手続補正８】
【補正対象書類名】明細書
【補正対象項目名】００１４
【補正方法】変更
【補正の内容】
【００１４】
請求項３に係る発明は、請求項１に記載の放送受信機において、現在時刻に応じて、ディスプレイに表示する電子番組表のグル−プを設定可能としたことを特徴とする。
【手続補正９】
【補正対象書類名】明細書
【補正対象項目名】００１６
【補正方法】変更
【補正の内容】
【００１６】
請求項４に係る発明は、請求項１に記載の放送受信機において、視聴する番組の開始時刻に応じて、ディスプレイに表示する電子番組表のグル−プを設定可能としたことを特徴とする。
【手続補正１０】
【補正対象書類名】明細書
【補正対象項目名】００１７
【補正方法】変更
【補正の内容】
【００１７】
請求項４に係る発明によれば、視聴する番組の開始時刻に応じて自動的に電子番組表の切り替えを行なう構成としているので、視聴者の操作が不要となる利点がある。
【手続補正１１】
【補正対象書類名】明細書
【補正対象項目名】００１８
【補正方法】変更
【補正の内容】
【００１８】
請求項５に係る発明は、請求項１に記載の放送受信機において、前記電子番組表に、受信状態の悪い番組と他の番組とを区別して表示するように表示方法を指定可能としたことを特徴とする。
【手続補正１２】
【補正対象書類名】明細書
【補正対象項目名】００２０
【補正方法】変更
【補正の内容】
【００２０】
請求項６に係る発明は、放送番組の電子番組表デ−タに基づき電子番組表をディスプレイに表示させる放送受信機であって、電子番組表データから番組の内容に応じたアイコンの画像を含む電子番組表のグループを作成する手段と、番組の視聴予約を登録する手段とを設け、視聴予約を行なった番組にマ−クを付して電子番組表をディスプレイに表示する構成としている。
【手続補正１３】
【補正対象書類名】明細書
【補正対象項目名】００２２
【補正方法】変更
【補正の内容】
【００２２】
請求項７に係る発明は、請求項５または６に記載の放送受信機において、前記放送受信機を車載機として構成し、車両の移動に伴い視聴予約を行なった番組について受信状態が改善されたかどうかを検出し、視聴予約を行なった番組の受信状態が改善された旨のメッセ−ジをディスプレイに表示させることを特徴とする。
【手続補正１４】
【補正対象書類名】明細書
【補正対象項目名】００２４
【補正方法】変更
【補正の内容】
【００２４】
請求項８に係る発明は、放送番組の電子番組表デ−タに基づき電子番組表をディスプレイに表示させる放送受信機であって、電子番組表データから番組の内容に応じたアイコンの画像を含む電子番組表のグループを作成する手段と、番組の視聴予約を登録する手段と、視聴予約番組の放送開始時刻からの経過時間を設定する手段と、当該経過時間後に視聴予約を自動的に取り消す手段とを有する構成としている。
【手続補正１５】
【補正対象書類名】明細書
【補正対象項目名】００２６
【補正方法】変更
【補正の内容】
【００２６】
請求項９に係る発明は、請求項８に記載の放送受信機において、前記視聴予約を登録する手段と共に、視聴予約番組の予約有効時刻を指定する手段と、当該予約有効時刻の経過後に視聴予約を自動的に取り消す手段とを有することを特徴とする。
【手続補正１６】
【補正対象書類名】明細書
【補正対象項目名】００２８
【補正方法】変更
【補正の内容】
【００２８】
請求項１０に係る発明は、請求項８に記載の放送受信機において、前記視聴予約を登録する手段と共に、視聴予約時刻の経過時間を番組の放送時間の全体の割合で設定する手段を設けることを特徴とする。
【手続補正１７】
【補正対象書類名】明細書
【補正対象項目名】００３０
【補正方法】変更
【補正の内容】
【００３０】
また、好ましい形態として、請求項８に記載の放送受信機において、前記視聴予約を登録する手段と共に、視聴予約設定の有効期限を報知することを特徴とする。
【手続補正１８】
【補正対象書類名】明細書
【補正対象項目名】００３２
【補正方法】変更
【補正の内容】
【００３２】
また、好ましい形態として、請求項８に記載の放送受信機において、前記視聴予約設定の有効期限の報知は、ディスプレイ上の隅部にメッセ−ジを表示して実施することを特徴とする。
【手続補正１９】
【補正対象書類名】明細書
【補正対象項目名】００３４
【補正方法】変更
【補正の内容】
【００３４】
請求項１１に係る発明は、請求項８に記載の放送受信機において、前記視聴予約設定の有効期限の報知を、一定時間経過毎に行なうことを特徴とする。
【手続補正２０】
【補正対象書類名】明細書
【補正対象項目名】００３６
【補正方法】変更
【補正の内容】
【００３６】
また、好ましい形態として、請求項８に記載の放送受信機において、前記視聴予約設定の有効期限の報知は、一定時間経過毎に音声のメッセ−ジを発して実施することを特徴とする。
【手続補正２１】
【補正対象書類名】明細書
【補正対象項目名】００３８
【補正方法】変更
【補正の内容】
【００３８】
また、好ましい形態として、請求項８に記載の放送受信機において、前記視聴予約の有効期限の報知手段を単独で、または組み合わせて予め設定可能としたことを特徴とする。
【手続補正２２】
【補正対象書類名】明細書
【補正対象項目名】００４０
【補正方法】変更
【補正の内容】
【００４０】
また、好ましい形態として、請求項８に記載の放送受信機において、前記視聴予約の有効期限を、デフォルト設定として予め設定可能としたことを特徴とする。
【手続補正２３】
【補正対象書類名】明細書
【補正対象項目名】００４２
【補正方法】変更
【補正の内容】
【００４２】
また、好ましい形態として、請求項８に記載の放送受信機において、前記視聴予約の有効期限が経過したときに、ディスプレイに視聴予約のキャンセルを表示することを特徴とする。
【手続補正２４】
【補正対象書類名】明細書
【補正対象項目名】００４４
【補正方法】変更
【補正の内容】
【００４４】
また、好ましい形態として、請求項８に記載の放送受信機において、前記視聴予約の有効期限が経過したときに、ディスプレイに視聴予約をキャンセルするか否かのメッセ−ジを表示することを特徴とする。
【手続補正２５】
【補正対象書類名】明細書
【補正対象項目名】００４６
【補正方法】変更
【補正の内容】
【００４６】
また、好ましい形態として、放送受信機を、チュ−ナで選局する放送番組の電子番組表デ−タに基づき電子番組表をディスプレイに表示させる放送受信機であって、前記チュ−ナとは別個に放送の受信感度をモニタするチュ−ナを設けたことを特徴とする。
【手続補正２６】
【補正対象書類名】明細書
【補正対象項目名】００４８
【補正方法】変更
【補正の内容】
【００４８】
請求項１２に係る発明は、請求項５または７において、コマ−シャルを受信したときに放送の受信感度をモニタする構成としている。
【手続補正２７】
【補正対象書類名】明細書
【補正対象項目名】００４９
【補正方法】変更
【補正の内容】
【００４９】
請求項１２に係る発明によれば、コマーシャルの時間を利用して受信感度をモニタするため、視聴者にとっては番組の本編が欠損することなく視聴可能となる。また、前述のように受信感度をモニタするチュ−ナを別途も設けなくても、単一のチュ−ナで放送の受信感度をモニタできるので、コストを低減することができる。